(57)【要約】【課題】安価で効率的にエリアワンセグ放送を行うエリアワンセグ送信システムを実現すること。【解決手段】エリアワンセグ送信システムは、ヘッドエンド１０と、ヘッドエンド１０に伝送網２０を介して接続され、各エリアに配置された複数のエリアワンセグ送信機３０と、送信アンテナ４０とを有している。ヘッドエンド１０は、地上デジタル放送の所定のチャンネルの１３個のセグメントのうち、所定の１つのセグメントに、エリアワンセグ送信機３０の配置されたエリア限定のワンセグ放送であるエリアワンセグ放送を割り当てて、地上デジタル放送信号を伝送路網２０に送信する。エリアワンセグ送信機３０は、所定のチャンネルのエリアワンセグ放送が割り当てられたセグメントのみを切り出し、それ以外の帯域については抑制して送信する。【選択図】図１
2012217009.tif 000002
【特許請求の範囲】
【請求項１】
複数のエリアにおいて限定されたエリアワンセグ放送の送信を行うエリアワンセグ送信システムにおいて、
地上デジタル放送の所定のチャンネルの１３個のセグメントのうち、単数または複数のセグメントにエリアワンセグ放送を割り当てて地上デジタル放送信号を送信するヘッドエンドと、
複数の前記エリアにそれぞれ配置され、前記ヘッドエンドからの地上デジタル放送信号を、伝送路網を介して受信する複数のエリアワンセグ送信機と、
を有し、
前記エリアワンセグ送信機は、
受信した地上デジタル放送信号の前記所定のチャンネルの、所定のエリアワンセグ放送のセグメントを切り出すフィルタ部と、
前記フィルタ部によって切り出された信号を送信する送信部と、
を有する、
ことを特徴とするエリアワンセグ送信システム。
【請求項２】
前記ヘッドエンドは、複数のセグメントにエリアワンセグ放送を割り当てて地上デジタル放送信号を送信し、
前記エリアワンセグ送信機のフィルタ部は、エリアワンセグ放送の割り当てられた複数の前記セグメントのうち、所定の数のセグメントを選択して切り出す、
ことを特徴とする請求項１に記載のエリアワンセグ送信システム。
【請求項３】
前記フィルタ部は、エリアごとに異なるセグメントを切り出すことを特徴とする請求項１または請求項２に記載のエリアワンセグ送信システム。
【請求項４】
前記送信部は、前記チャンネルを他の周波数のチャンネルへ変更して送信する、ことを特徴とする請求項１ないし請求項３のいずれか１項に記載のエリアワンセグ送信システム。
【請求項５】
前記送信部は、前記セグメントを他のセグメントへ変更して送信する、ことを特徴とする請求項１ないし請求項４のいずれか１項に記載のエリアワンセグ送信システム。
【請求項６】
前記送信部は、隣接するエリア間においてセグメントが異なるように変更して送信する、ことを特徴とする請求項１ないし請求項５のいずれか１項に記載のエリアワンセグ送信システム。
【請求項７】
ヘッドエンドからの地上デジタル放送信号を、伝送路網を介して受信するエリアワンセグ送信機において、
受信する地上デジタル放送信号は、所定のチャンネルの１３個のセグメントのうち、単数または複数のセグメントにエリアワンセグ放送を割り当てられており、
前記エリアワンセグ送信機は、
受信した地上デジタル放送信号の前記所定のチャンネルの、所定のエリアワンセグ放送のセグメントを切り出すフィルタ部と、
前記フィルタ部によって切り出された信号を送信する送信部と、
を有する、
ことを特徴とするエリアワンセグ送信機。
【請求項８】
受信する地上デジタル放送信号は、所定のチャンネルの１３個のセグメントのうち、複数のセグメントにエリアワンセグ放送を割り当てられており、
前記エリアワンセグ送信機のフィルタ部は、エリアワンセグ放送の割り当てられた複数の前記セグメントのうち、所定の数のセグメントを選択して切り出す、
ことを特徴とする請求項７に記載のエリアワンセグ送信機。
【請求項９】
前記送信部は、前記チャンネルを他の周波数のチャンネルへ変更して送信する、ことを特徴とする請求項７または請求項８に記載のエリアワンセグ送信機。
【請求項１０】
前記送信部は、前記セグメントを他のセグメントへ変更して送信する、ことを特徴とする請求項７ないし請求項９のいずれか１項に記載のエリアワンセグ送信機。
【発明の詳細な説明】
【技術分野】
【０００１】
本発明は、エリアを限定したワンセグ放送であるエリアワンセグ放送を送信するエリアワンセグ送信システムに関する。また、そのシステムに用いるエリアワンセグ送信機に関する。
【背景技術】
【０００２】
近年、電波を有効に活用する方策として、ホワイトスペースの検討が行われている。ホワイトスペースは、地理的、時間的な条件などによって本来の目的以外の目的にも利用可能な周波数である。ホワイトスペースを活用する案として、エリアを限定したワンセグ放送（エリアワンセグ放送）を行うことが提案されている。ワンセグ放送は、地上デジタル放送の１チャンネルの１３セグメントのうち、１セグメントを用いて携帯電話など移動体端末向けに行う放送である。
【０００３】
通常、地上デジタル放送では、１３セグメントのうち中央の１セグメントのみがワンセグ放送に割り当てられているが、地上デジタル放送の複数のチャンネルからワンセグ放送を切り出して束ね、１チャンネルに複数のワンセグ放送を割り当てて再送信する束セグや、バラセグなどの方法が検討されている。
【先行技術文献】
【特許文献】
【０００４】
【特許文献１】特開２００９−１７１１４９
【特許文献２】特開２００８−９７３８９
【特許文献３】特開２０１０−１５４４１６
【発明の概要】
【発明が解決しようとする課題】
【０００５】
しかし、安価で効率的にエリアワンセグ放送を行うエリアワンセグ送信システムの構築は実現していない。
【０００６】
そこで本発明の目的は、エリアワンセグ放送を行うことができるエリアワンセグ送信システムを実現することである。また、そのシステムに用いるエリアワンセグ送信機を実現することである。
【課題を解決するための手段】
【０００７】
第１の発明は、複数のエリアにおいて限定されたエリアワンセグ放送の送信を行うエリアワンセグ送信システムにおいて、地上デジタル放送の所定のチャンネルの１３個のセグメントのうち、単数または複数のセグメントにエリアワンセグ放送を割り当てて地上デジタル放送信号を送信するヘッドエンドと、複数のエリアにそれぞれ配置され、ヘッドエンドからの地上デジタル放送信号を、伝送路網を介して受信する複数のエリアワンセグ送信機と、を有し、エリアワンセグ送信機は、受信した地上デジタル放送信号の所定のチャンネルの、所定のエリアワンセグ放送のセグメントを切り出すフィルタ部と、フィルタ部によって切り出された信号を送信する送信部と、を有する、ことを特徴とするエリアワンセグ送信システムである。
【０００８】
伝送路網は、同軸ケーブル伝送路網や、幹線を光ファイバー伝送路とし、支線を同軸ケーブル伝送路とするＨＦＣ方式の伝送路網や、光ファイバー伝送路網などである。
【０００９】
第２の発明は、第１の発明において、ヘッドエンドは、複数のセグメントにエリアワンセグ放送を割り当てて地上デジタル放送信号を送信し、エリアワンセグ送信機のフィルタ部は、エリアワンセグ放送の割り当てられた複数のセグメントのうち、所定の数のセグメントを選択して切り出す、ことを特徴とするエリアワンセグ送信システムである。
【００１０】
所定の数は、ヘッドエンドにおいてエリアワンセグ放送に割り当てられたセグメントの数と同数以下の数であればよく、１つであってもよい。
【００１１】
第３の発明は、第１の発明または第２の発明において、フィルタ部は、エリアごとに異なるセグメントを切り出すことを特徴とするエリアワンセグ送信システムである。
【００１２】
第４の発明は、第１の発明から第３の発明において、送信部は、前記チャンネルを他の周波数のチャンネルへ変更して送信する、ことを特徴とするエリアワンセグ送信システムである。
【００１３】
第５の発明は、第１の発明から第４の発明において、送信部は、セグメントを他のセグメントへ変更して送信する、ことを特徴とするエリアワンセグ送信システムである。
【００１４】
第６の発明は、第１の発明から第５の発明において、送信部は、隣接するエリア間においてセグメントが異なるように変更して送信する、ことを特徴とするエリアワンセグ送信システムである。
【００１５】
第７の発明は、ヘッドエンドからの地上デジタル放送信号を、伝送路網を介して受信するエリアワンセグ送信機において、受信する地上デジタル放送信号は、所定のチャンネルの１３個のセグメントのうち、単数または複数のセグメントにエリアワンセグ放送を割り当てられており、エリアワンセグ送信機は、受信した地上デジタル放送信号の所定のチャンネルの、所定のエリアワンセグ放送のセグメントを切り出すフィルタ部と、フィルタ部によって切り出された信号を送信する送信部と、を有する、ことを特徴とするエリアワンセグ送信機である。
【００１６】
第８の発明は、第７の発明において、受信する地上デジタル放送信号は、所定のチャンネルの１３個のセグメントのうち、複数のセグメントにエリアワンセグ放送を割り当てられており、エリアワンセグ送信機のフィルタ部は、エリアワンセグ放送の割り当てられた複数のセグメントのうち、所定の数のセグメントを選択して切り出す、ことを特徴とするエリアワンセグ送信機である。
【００１７】
第９の発明は、第７の発明または第８の発明において、送信部は、チャンネルを他の周波数のチャンネルへ変更して送信する、ことを特徴とするエリアワンセグ送信機である。
【００１８】
第１０の発明は、第７の発明から第９の発明において、送信部は、セグメントを他のセグメントへ変更して送信する、ことを特徴とするエリアワンセグ送信機である。
【発明の効果】
【００１９】
本発明によると、干渉や混信を低減しつつ、同軸ケーブル伝送路等の伝送路網を利用して安価で効率的にエリアワンセグ放送を行うことができる。
【図面の簡単な説明】
【００２０】
【図１】実施例１のエリアワンセグ送信システムの構成を示した図。
【図２】エリアワンセグ送信機３０の構成を示した図。
【図３】エリアワンセグ送信機３１の構成を示した図。
【図４】エリアワンセグ送信機３２の構成を示した図。
【図５】エリアワンセグ送信機３３の構成を示した図。
【図６】実施例２のエリアワンセグ送信システムの構成を示した図。
【図７】エリアワンセグ送信機３００の構成を示した図。
【図８】エリアワンセグ送信機４００の構成を示した図。
【図９】エリアワンセグ送信機５００の構成を示した図。
【図１０】エリアワンセグ送信機６００の構成を示した図。
【発明を実施するための形態】
【００２１】
以下、本発明の具体的な実施例について説明するが、本発明は実施例に限定されるものではない。
【実施例１】
【００２２】
図１は、実施例１のエリアワンセグ送信システムの構成を示した図である。実施例１のエリアワンセグ送信システムは、ヘッドエンド１０と、ヘッドエンド１０に伝送網２０を介して接続され、各エリアに配置された複数のエリアワンセグ送信機３０と、送信アンテナ４０とを有している。伝送路網２０は、同軸ケーブル網や、幹線を光ファイバーケーブル、支線を同軸ケーブルとするＨＦＣ方式の伝送路網などであり、既設のＣＡＴＶシステムで用いている伝送路網を利用することができる。また、ヘッドエンド１０についても、既設のＣＡＴＶシステムの設備を使用することができる。
【００２３】
エリアワンセグ送信機３０は、図２に示すように、ＳＡＷフィルタ１００、１０１と、ＢＰＦ（バンドパスフィルタ）１０２、１０３と、混合器１０４〜１０７と、ローカル発振器１０８、１０９と、を有している。混合器１０４の一方の入力側は、伝送路網２０に挿入された分岐器２１を介して伝送路網２０に接続されていて、他方の入力側は、ローカル発振器１０８に接続されている。混合器１０４の出力側はＳＡＷフィルタ１００の入力側に接続されている。混合器１０５の一方の入力側は、ＳＡＷフィルタ１００の出力側に接続され、他方の入力側はローカル発振器１０９に接続されている。混合器１０５の出力側は、ＳＡＷフィルタ１０１に接続されている。混合器１０６の一方の入力側は、ＳＡＷフィルタ１０１の出力側に接続され、他方の入力側はローカル発振器１０９に接続されている。混合器１０６の出力側はＢＰＦ１０２の入力側に接続されている。ＢＰＦ１０２は、混合器１０６から出力される和周波数の信号と差周波数の信号のうち、どちらか一方の信号のみを透過させる。混合器１０７の一方の入力側は、ＢＰＦ１０２の出力側に接続され、他方の入力側はローカル発振器１０８に接続されている。混合器１０７の出力側はＢＰＦ１０３の入力側に接続されている。ＢＰＦ１０３は、混合器１０７から出力される和周波数の信号と差周波数の信号のうち、どちらか一方の信号のみを透過させる。ＢＰＦ１０３の出力側は送信アンテナ４０に接続されている。
【００２４】
なお、ＳＡＷフィルタ１００、１０１はディジタルフィルタまたはＢＰＦであってもよい。
【００２５】
次に、実施例１のエリアワンセグ送信システムの動作について説明する。
【００２６】
ヘッドエンド１０は、地上デジタル放送の所定のチャンネルの１３個のセグメントのうち、所定の１つのセグメントに、エリアワンセグ送信機３０の配置されたエリア限定のワンセグ放送であるエリアワンセグ放送を割り当てて、地上デジタル放送信号を伝送路網２０に送信する。１チャンネルの帯域幅は約６ＭＨｚ、１セグメントの帯域幅は約４３０ｋＨｚである。所定のチャンネルは、エリアワンセグ送信機３０の配置されるエリアにおける空きチャンネルを利用するなど、いわゆるホワイトスペースを活用することができる。
【００２７】
ヘッドエンド１０から送出された地上デジタル放送信号は、伝送路網２０を介してエリアワンセグ送信機３０の混合器１０４に入力される。混合器１０４で第１ＩＦ信号に変換され、ＳＡＷフィルタ１００によって所定のチャンネルの周波数帯域のみが透過される。そして、ＳＡＷフィルタ１００から出力される信号は、混合器１０５によって第２ＩＦ信号に変換され、ＳＡＷフィルタ１０１によってエリアワンセグ放送が割り当てられた所定のセグメントの周波数帯域のみが透過される。ＳＡＷフィルタ１０１から出力される信号は、混合器１０６、１０７とＢＰＦ１０２、１０３によって元のＲＦ帯域の信号に戻される。以上により、エリアワンセグ送信機３０は、周波数およびセグメントを変更することなく、地上デジタル放送信号から所定のチャンネルの所定のセグメントのみを切り出すことができ、それ以外の帯域については抑制して、送信アンテナ４０より空間に電波として送信することができる。これにより、各エリアワンセグ送信機３０の配置されたエリアに限定されたエリアワンセグ放送を送信することができる。
【００２８】
以上のように、実施例１によれば、既設のＣＡＴＶシステムの伝送路網を利用して安価で効率的なエリアワンセグ送信システムを構築することができる。特に、所定のチャンネルの所定のセグメントのみを切り出してエリアワンセグ放送を割り当てて送信しているため、干渉や混信を低減することができる。そのため、本発明のエリアワンセグ送信システムはホワイトスペースの活用に適している。
【００２９】
なお、干渉や混信の低減などを目的として、あるいは所定の帯域の電波を伝送させることができないエリアが存在するなどの理由により、周波数の異なる他のチャンネルに変更して送信したり、他のセグメントに変更して送信したりしてもよい。特に、近接するエリア間において異なるチャンネル、あるいはセグメントとすることで、干渉や混信の低減を図ることができる。
【００３０】
他のチャンネルに変更する場合には、たとえば、実施例１のエリアワンセグ送信機３０に替えて、図３に示すエリアワンセグ送信機３１を用いればよい。エリアワンセグ送信機３１は、実施例１のエリアワンセグ送信機３０において、ローカル発振器１０８と混合器１０７とを接続するのに替えて、新たに設けたローカル発振器１１０と混合器１０７とを接続する構成である。ＢＰＦ１０２から出力される信号と、ローカル発振器１１０から出力されるローカル信号とを混合器１０７で混合することで、周波数の異なる他のチャンネルへと変更している。なお、この場合セグメントについては変更は無い。
【００３１】
他のセグメントに変更する場合には、たとえば、実施例１のエリアワンセグ送信機３０に替えて、図４に示すエリアワンセグ送信機３２を用いればよい。エリアワンセグ送信機３２は、実施例１のエリアワンセグ送信機３０において、ローカル発振器１０９と混合器１０６とを接続するのに替えて、新たに設けたローカル発振器１１１と混合器１０６とを接続する構成である。ＳＡＷフィルタ１０１から出力される信号と、ローカル発振器１１１から出力されるローカル信号とを混合器１０６で混合することで、他のセグメントへと変更している。なお、この場合チャンネルについては変更は無い。
【００３２】
他のチャンネルに変更し、かつ他のセグメントに変更する場合には、たとえば、実施例１のエリアワンセグ送信機３０に替えて、図５に示すエリアワンセグ送信機３３を用いればよい。エリアワンセグ送信機３３は、実施例１のエリアワンセグ送信機３０において、ローカル発振器１０９と混合器１０６とを接続し、ローカル発振器１０８と混合器１０７とを接続するのに替えて、新たに設けたローカル発振器１１１と混合器１０６とを接続し、新たに設けたローカル発振器１１０と混合器１０７とを接続する構成である。この構成により、チャンネルとセグメントの両方を変更することができる。
【００３３】
これらのエリアワンセグ送信機３１〜３３を用いれば、同一のエリアワンセグ放送を、エリアによって異なるチャンネルとしたり、異なるセグメントとして放送を行うことができる。
【００３４】
また、エリアワンセグ送信機３０〜３３では、混合器１０４、１０５によって第１中間周波数、第２中間周波数に変換してからＳＡＷフィルタ１００、１０１を通すことでチャンネルおよびセグメントの切り出しを行っているが、混合器を用いずにＲＦのまま、または第１中間周波数のまま、フィルタによって直接切り出しを行うようにしてもよい。
【実施例２】
【００３５】
図６は、実施例２のエリアワンセグ送信システムの構成を示した図である。実施例２のエリアワンセグ送信システムは、実施例１のエリアワンセグ送信システムにおいて、ヘッドエンド１０をヘッドエンド２００に替え、エリアワンセグ送信機３０をエリアワンセグ送信機３００に替えた構成である。
【００３６】
ヘッドエンド２００は、地上デジタル放送の所定のチャンネルの１３個のセグメントのうち、所定のｎ個（２≦ｎ≦１３）のセグメントにエリアワンセグ放送を割り当てて、地上デジタル放送信号を伝送路網２０に送信する。いわゆる束セグ、バラセグと呼ばれる手法によって送信する。
【００３７】
エリアワンセグ送信機３００は、図７のように、ＳＡＷフィルタ３０１と、混合器３０２、３０３と、分波器３０４、３０５と、セグメント選択部３０６−１〜３０６−ｎと、ＢＰＦ３０７と、ローカル発振器３０８と、によって構成されている。
【００３８】
混合器３０２の一方の入力側は、伝送路網２０に挿入された分岐器２１を介して伝送路網２０に接続されていて、他方の入力側は、ローカル発振器３０８に接続されている。混合器３０２の出力側はＳＡＷフィルタ３０１の入力側に接続され、ＳＡＷフィルタ３０１の出力側は分波器３０４に接続されている。分波器３０４のｎ個の分岐端子と、分波器３０５のｎこの分岐端子は、それぞれセグメント選択部３０６−１〜３０６−ｎを介して接続されている。また、混合器３０３の一方の入力側は分波器３０５に接続され、他方の入力側はローカル発振器３０８に接続されている。ＢＰＦ３０７の入力側は混合器３０３の出力側に接続され、ＢＰＦ３０７の出力側はアンテナ４０に接続されている。
【００３９】
各セグメント選択部３０６−ｉ（１≦ｉ≦ｎ）は、混合器３１０、３１１と、ＳＡＷフィルタ３１２−ｉと、ＢＰＦ３１３と、ローカル発振器３１４とで構成されている。混合器３１０の一方の入力側は、分波器３０４の分岐端子に接続され、他方の入力側は、ローカル発振器３１４に接続されている。混合器３１０の出力側は、ＳＡＷフィルタ３１２−ｉの入力側に接続されている。混合器３１１の一方の入力側は、ＳＡＷフィルタ３１２−ｉの出力側に接続されていて、他方の入力側はローカル発振器３１４に接続されている。ＢＰＦ３０７の入力側は混合器３０３の出力側に接続され、ＢＰＦ３０７の出力側はアンテナ４０に接続されている。
【００４０】
次に、実施例２のエリアワンセグ送信システムの動作について説明する。
【００４１】
ヘッドエンド１０から送出された地上デジタル放送信号は、伝送路網２０を介してエリアワンセグ送信機３００の混合器３０２に入力される。混合器３０２で第１ＩＦ信号に変換され、ＳＡＷフィルタ１００によって所定のチャンネルの周波数帯域のみが透過される。そして、ＳＡＷフィルタ１００から出力される信号は、分波器３０４によってエリアワンセグ放送に割り当てられたｎ個のセグメントごとの周波数帯域に分波され、各セグメント選択部３０６−１〜３０６−ｎに出力される。
【００４２】
各セグメント選択部３０６−１〜３０６−ｎでは、分波器３０４の各分岐端子から出力される信号が、混合器３１０に入力される。混合器３１０で第２ＩＦ信号に変換され、各ＳＡＷフィルタ３１２−１〜３１２−ｎによって、エリアワンセグ放送が割り当てられた各セグメントの周波数帯域のみが透過される。各ＳＡＷフィルタ３１２−１〜３１２−ｎから出力される信号は、混合器３１１、ＢＰＦ３１３によって第１ＩＦ信号の帯域に戻される。各ＢＰＦ３１３からの信号は、分波器３０５によって合波されて出力される。そして、分波器３０５から出力される信号は、混合器３０３、ＢＰＦ３０７によって元のＲＦ帯域の信号に戻される。以上により、エリアワンセグ送信機３００は、ヘッドエンド１０から送出された地上デジタル放送信号のうち、所定のチャンネルのエリアワンセグ放送に割り当てられたｎ個のセグメントのみを切り出し、それ以外の帯域については抑制して、送信アンテナ４０より空間に電波として送信することができる。これにより、各エリアワンセグ送信機３００の配置されたエリアに限定された、ｎ個のエリアワンセグ放送を送信することができる。
【００４３】
以上のように、実施例２によれば、既設のＣＡＴＶシステムの伝送路網を利用して安価で効率的なエリアワンセグ送信システムを構築することができる。特に、所定のチャンネルのエリアワンセグ放送に割り当てられた複数のセグメントのみを切り出して送信しているため、干渉や混信を低減することができる。そのため、本発明のエリアワンセグ送信システムはホワイトスペースの活用に適している。
【００４４】
なお、実施例２のエリアワンセグ送信システムにおいて、干渉や混信の低減などを目的として、周波数の異なる他のチャンネルに変更して送信したり、他のセグメントに変更して送信したりしてもよい。特に、近接するエリア間において異なるチャンネル、あるいはセグメントとすることで、干渉や混信の低減を図ることができる。
【００４５】
他のチャンネルに変更する場合には、たとえば、実施例２のエリアワンセグ送信機３００に替えて、図８に示すエリアワンセグ送信機４００を用いればよい。エリアワンセグ送信機４００は、実施例２のエリアワンセグ送信機３００において、ローカル発振器３０８と混合器３０３とを接続するのに替えて、新たに設けたローカル発振器３１６と混合器３０３とを接続する構成である。分波器３０５から出力される信号と、ローカル発振器３１６から出力されるローカル信号とを混合器３０３で混合することで、周波数の異なる他のチャンネルへと変更している。なお、この場合セグメントについては変更は無い。
【００４６】
他のセグメントに変更する場合には、たとえば、実施例２のエリアワンセグ送信機３００に替えて、図９に示すエリアワンセグ送信機５００を用いればよい。エリアワンセグ送信機５００は、実施例２のエリアワンセグ送信機３００の各セグメント選択部３０６−ｉにおいて、ローカル発振器３１４と混合器３１０とを接続するのに替えて、新たに設けたローカル発振器３１５と混合器３１０とを接続する構成である。ＳＡＷフィルタ３１２−ｉから出力される信号と、ローカル発振器３１５から出力されるローカル信号とを混合器３１１で混合することで、他のセグメントへと変更している。なお、この場合チャンネルについては変更は無い。
【００４７】
他のチャンネルに変更し、かつ他のセグメントに変更する場合には、たとえば、実施例２のエリアワンセグ送信機３００に替えて、図１０に示すエリアワンセグ送信機６００を用いればよい。エリアワンセグ送信機６００は、実施例１のエリアワンセグ送信機３００において、ローカル発振器３０８と混合器３０３とを接続し、ローカル発振器３１４と混合器３１１とを接続するのに替えて、新たに設けたローカル発振器３１６と混合器３０３とを接続し、新たに設けたローカル発振器３１５と混合器３１１とを接続する構成である。この構成により、チャンネルとセグメントの両方を変更することができる。
【００４８】
これらのエリアワンセグ送信機４００〜６００を用いれば、同一チャンネルの複数のエリアワンセグ放送を、エリアによって異なるチャンネルとしたり、異なるセグメントとして放送を行うことができる。したがって、たとえば各エリアにおいて同一チャンネル、同一セグメントでありながら、各エリアで異なる内容のエリアワンセグ放送を行うことも可能である。
【００４９】
また、エリアワンセグ送信機４００〜６００では、混合器３０２、３１０によって第１中間周波数、第２中間周波数に変換してからＳＡＷフィルタ３０１、３１２−ｉを通すことでチャンネルおよびセグメントの切り出しを行っているが、混合器を用いずにＲＦのまま、または第１中間周波数のまま、フィルタによって直接切り出しを行うようにしてもよい。
【００５０】
また、実施例２のエリアワンセグ送信システムは、エリアワンセグ放送に割り当てられた複数のセグメントをすべて切り出して送信するものであったが、複数のセグメントからいくつかを選択して切り出すようにしてもよく、エリアごとに選択するセグメントが異なっていてもよい。たとえば、セグメント１〜１０にそれぞれ割り当てたエリアワンセグ放送１〜１０のうち、あるエリアではエリアワンセグ放送１〜５を送信するようにして、他のあるエリアではエリアワンセグ放送６〜１０を送信するようにしてもよい。また、エリアワンセグ送信機３００に替えて実施例１で用いたエリアワンセグ送信機３０〜３３を用いることで、複数のセグメントから１つのセグメントを切り出すようにしてもよく、エリアごとに切り出すセグメントが異なっていてもよい。
【産業上の利用可能性】
【００５１】
本発明のエリアワンセグ送信システムによると、既設の同軸ケーブル等の伝送路網を利用してエリアワンセグ放送を行うことができる。
【符号の説明】
【００５２】
１０、２００：ヘッドエンド
２０：伝送路網
３０〜３３、３００、４００、５００、６００：エリアワンセグ送信機
４０：送信アンテナ
１００、１０１、３０１、３１２：ＳＡＷフィルタ
１０２、１０３、３０７、３１３：ＢＰＦ
１０４〜１０７、３０２、３０３、３１０、３１１：混合器
１０８〜１１１、３０８、３１４：ローカル発振器
３０４、３０５：分波器
【図１】
2012217009.tif 000003
【図２】
2012217009.tif 000004
【図３】
2012217009.tif 000005
【図４】
2012217009.tif 000006
【図５】
2012217009.tif 000007
【図６】
2012217009.tif 000008
【図７】
2012217009.tif 000009
【図８】
2012217009.tif 000010
【図９】
2012217009.tif 000011
【図１０】
2012217009.tif 000012